(57)【要約】【課題】良好な切屑処理が可能な切削インサートを提供する。【解決手段】切削インサート（１）は、角柱状のチップ本体（２）と、チップ本体（２）の長手方向の端部上面に設けられたすくい面（３）と、すくい面（３）とチップ本体（２）の端面との稜線に設けられた正面切刃（４）と、すくい面（３）とチップ本体（２）の側面との稜線に設けられており、正面切刃（４）の両端部につながる横切刃（５）と、すくい面（３）上に設けられたブレーカ凸部（６）と、を備え、ブレーカ凸部（６）が、正面切刃（４）側に向かうにつれて横切刃（５）側に延びる２つのブレーカ島部（１０）を有し、ブレーカ島部（１０）が、正面切刃（４）側から第１立ち上がり部（１３）と、第１立ち上がり部（１３）の頂部から漸次低くなる降下部（１４）と、降下部（１４）から第１立ち上がり部（１３）の頂部の高さよりも高い高さまで漸次高くなる第２立ち上がり部（１５）とを有している。
2014051086.tif 000002
【特許請求の範囲】
【請求項１】
角柱状のチップ本体と、該チップ本体の長手方向の端部上面に設けられたすくい面と、該すくい面と前記チップ本体の端面との稜線に設けられた正面切刃と、前記すくい面と前記チップ本体の側面との稜線に設けられており、前記正面切刃とそれぞれつながる横切刃と、前記すくい面上に設けられたブレーカ凸部と、を備え、
前記ブレーカ凸部は、前記正面切刃側に向かうにつれて前記横切刃側に延びる２つのブレーカ島部を有し、該ブレーカ島部は、前記正面切刃側から第１立ち上がり部と、該第１立ち上がり部の頂部から漸次低くなる降下部と、該降下部から前記第１立ち上がり部の頂部よりも高い高さまで漸次高くなる第２立ち上がり部とを有する切削インサート。
【請求項２】
前記２つのブレーカ島部の間には、前記正面切刃側から、ブレーカ溝部と中央立ち上がり部とが設けられており、前記中央立ち上がり部の両側端が、前記２つのブレーカ島部とそれぞれ連結されている請求項１記載の切削インサート。
【請求項３】
前記２つのブレーカ島部の前記第２立ち上がり面の頂部のほうが、前記中央立ち上がり部の頂部よりも高い請求項２記載の切削インサート。
【請求項４】
側面視で、前記第１立ち上がり部の立ち上がり角が、前記第２立ち上がり部の立ち上がり角よりも大きい請求項１乃至３のいずれか記載の切削インサート。
【請求項５】
前記第１立ち上がり部、前記降下部および前記第２立ち上がり部は、上側に突出した凸曲面である請求項１乃至３のいずれか記載の切削インサート。
【請求項６】
平面視で、前記第１立ち上がり部の凸曲面の頂部をつないだ線を第１稜線とし、前記第２立ち上がり部の凸曲面の頂部をつないだ線を第２稜線としたとき、前記第１稜線および前記第２稜線は、前記チップ本体の長手方向に対して、いずれも前記端面側に向かうにつれて前記すくい面の側端に近づくように設けられている請求項５記載の切削インサート。
【請求項７】
前記第２稜線の前記チップ本体の長手方向に対するずれ角が、前記第１稜線の前記チップ本体の長手方向に対するずれ角よりも大きい請求項６記載の切削インサート。
【請求項８】
平面視で、前記第１立ち上がり部の最大幅よりも前記第２立ち上がり部の最大幅が大きい請求項１乃至７のいずれか記載の切削インサート。
【請求項９】
前記第１立ち上がり部よりも前記正面切刃側に予備立ち上がり部が設けられ、該予備立ち上がり部の立ち上がり角は前記第１立ち上がり部の立ち上がり角よりも小さい請求項１乃至８のいずれか記載の切削インサート。
【請求項１０】
前記２つのブレーカ島部は、前記正面切刃の中央を通る前記チップ本体の長手方向に平行な中央線に対して線対称である請求項１乃至９のいずれか記載の切削インサート。
【請求項１１】
請求項１乃至１０のいずれか記載の切削インサートと、インサート取付空間を有するホルダとを有し、前記切削インサートの前記正面切刃が前記ホルダの外部に位置するように前記切削インサートが前記ホルダのインサート取付空間に装着されている切削工具。
【発明の詳細な説明】
【技術分野】
【０００１】
本発明は被削材を加工するための切刃を備えた切削インサート、およびこれを装着した切削工具に関する。
【背景技術】
【０００２】
溝入れ加工や突切り加工を行うための切削工具では、発生する切屑が被削材の加工面に当たって傷つけないことが求められる。そのために、発生する切屑は切削インサートの長手方向に対して左右にずれて流れることなく、切削インサートの長手方向に沿って進んだ後、ぜんまい状にカールされて細かく分断されることが望まれる。【０００３】
例えば、特許文献１には、概略角柱状のチップ本体のすくい面に、先端部が正面切刃の両端部に向けて分岐した上面視でＹ字状のブレーカ部が開示されている。また、特許文献１によれば、この両端部に向けて分岐した先端部では、正面切刃側から背面側に向かって低くなる形状となっている。
【先行技術文献】
【特許文献】
【０００４】
【特許文献１】特開２００５−２８８６１３号公報
【発明の概要】
【発明が解決しようとする課題】
【０００５】
しかしながら、先端部が正面切刃の両端部に向けて分岐した上面視でＹ字状の特許文献１のブレーカ形状では、切屑が切削インサートの長手方向に沿って進むものの、切削条件によっては、長手方向に沿って進んだ切屑がカールせずにそのまま延びてしまい、長くなった切屑がからみついて切刃に噛み込んでしまったり、切削インサートの後方で左右にずれていって被削材に衝突したりすることがあった。
【課題を解決するための手段】
【０００６】
本発明の切削インサートは、角柱状のチップ本体と、該チップ本体の長手方向の端部上面に設けられたすくい面と、該すくい面と前記チップ本体の端面との稜線に設けられた正面切刃と、前記すくい面と前記チップ本体の側面との稜線に設けられており、前記正面切刃の両端部につながる横切刃と、前記すくい面上に設けられたブレーカ凸部と、を備え、
前記ブレーカ凸部は、前記正面切刃側に向かうにつれて前記横切刃側に延びる２つのブレーカ島部を有し、該ブレーカ島部は、前記正面切刃側から第１立ち上がり部と、該第１立ち上がり部の頂部から漸次低くなる降下部と、該降下部から前記第１立ち上がり部の頂部よりも高い高さまで漸次高くなる第２立ち上がり部とをそれぞれ有している。【０００７】
また、本発明の切削工具は、前記切削インサートと、インサート取付空間を有するホルダとを有し、前記正面切刃が前記ホルダの外部に位置するように前記切削インサートが前記ホルダに装着されたものである。
【発明の効果】
【０００８】
本発明の切削インサートによれば、ブレーカ凸部の２つのブレーカ島部によって、切屑をチップ本体の長手方向に沿って導くことができる。また、ブレーカ島部の第１立ち上がり部と、降下部と、第２立ち上がり部によって、送りが小さい切削条件では第１立ち上がり部のみで切屑をカールさせることができる。一方、送りが大きい切削条件でも第１立ち上がり部に一旦切屑を当てることができ、カールされずに乗り上げた切屑は第２立ち上がり部に当ててカールさせることができる。その結果、低送りから高送りにわたる広い切削条件において、良好な切屑処理が可能となる。
【図面の簡単な説明】
【０００９】
【図１】本発明の好適な実施態様における切削インサートについての概略斜視図である。
【図２Ａ】図１の切削インサートの要部についての平面視図である。
【図２Ｂ】図１の切削インサートの要部についての側面視図である。
【図２Ｃ】図１の切削インサートの要部についての正面視図である。
【図３】図１、２の切削インサートをホルダに装着した切削工具の実施態様についての概略斜視図である。
【発明を実施するための形態】
【００１０】
図１−３は本発明の好適な実施形態を示すものであり、これらの図に基づいて説明する。本実施形態による切削インサートおよび切削工具は、特に溝入れ加工や突切り加工に適したものである。
【００１１】
図１によれば、切削インサート１は、角柱状のチップ本体２と、チップ本体２の長手方向Ｌの端部上面に設けられたすくい面３と、すくい面３とチップ本体２の正面（端面）との稜線に設けられた正面切刃４と、すくい面３とチップ本体の側面との稜線に設けられており、正面切刃４の両端部につながる一対の横切刃５（５ａ、５ｂ）と、すくい面３上に設けられた凸状のブレーカ凸部６とを備えている。
【００１２】
また、すくい面３が設けられたチップ本体２の端部の正面Ｘには前逃げ面８が設けられている。さらに、すくい面３から一対の横切刃５（５ａ、５ｂ）に続いて、チップ本体２の側面に一対の横逃げ面９（図１では９ａのみが見えている。）が設けられている。
【００１３】
図１の切削インサート１は、チップ本体２の高さ方向の中央軸線Ｏを基準として点対称な形状となっており、正面切刃４および横切刃５等は、正面（一方の端面）Ｘ側と背面（他方の端面）Ｙ側の２か所に存在する。なお、本発明では、上記構成に限定されるものではなく、片方の端部のみに正面切刃４および横切刃５等が設けられたものであってもよい。
【００１４】
また、切削インサート１を後述するホルダ３２に装着する際の拘束力を高めるために、チップ本体２の上面のすくい面３よりも中央側につなぎ部２８が設けられ、つなぎ部２８よりも中央側、つまり図１のすくい面３、３およびつなぎ部２８、２８の間には、正面視でＶ字状の凹溝２５がチップ本体２の長手方向Ｌに沿って設けられている。
【００１５】
さらに、図１によれば、チップ本体２の凹溝２５の反対側、つまりチップ本体２の底面にも正面視でＶ字状の凹溝２６がチップ本体２の長手方向Ｌの全長に亘って設けられている。
【００１６】
なお、図１の切削インサート１においては、ブレーカ凸部６等のすくい面３上の形状を省略して記載している。また、図１において、長手方向Ｌの一方の端部を正面Ｘ側、長手方向Ｌの他方の端部を背面Ｙ側、正面Ｘ側の横切刃５ａ、横逃げ面９ａが設けられた側方を側方ａ側、正面Ｘ側の横切刃５ｂが設けられた側方を側方ｂ側と称す。
【００１７】
図２Ａ、図２Ｂ、図２Ｃはインサート１の正面Ｘ側を示すもので、図２Ａによれば、ブレーカ凸部６は、チップ本体２の中央側である背面Ｙ側から正面切刃４側である正面Ｘ側に向かってすくい面３の側端に近づく２つのブレーカ島部１０（１０ａ、１０ｂ）を有する。つまり、２つのブレーカ島部１０（１０ａ、１０ｂ）は、正面切刃４側に向かうにつれて横切刃５側に延びるように設けられており、平面視で、正面Ｘ側である正面切刃４を下にして日本語のカタカナの「ハ」の字状となっている。換言すると、２つのブレーカ島部１０（１０ａ、１０ｂ）は、どちらも、正面Ｘ側からチップ本体２の中央側（背面Ｙ側）に向かって、すくい面３の側端から遠ざかっており、２つのブレーカ島部１０（１０ａ、１０ｂ）間の間隔は、正面Ｘ側からチップ本体２の中央側（背面Ｙ側）に向かって狭くなっている。
【００１８】
また、２つのブレーカ島部１０（１０ａ、１０ｂ）には、図２Ｂに示すように、正面Ｘ側から第１立ち上がり部１３（１３ａ、１３ｂ）と、第１立ち上がり部１３の頂部の高さｈ１から漸次低くなる降下部１４（１４ａ、１４ｂ）と、降下部１４から第１立ち上がり部１３の頂部の高さｈ１よりも高い高さｈ２まで漸次高くなる第２立ち上がり部１５（１５ａ、１５ｂ）とがそれぞれ設けられている。なお、図２Ａ、図２Ｂ、図２Ｃでは、第２立ち上がり部１５の背面Ｙ側には、後述する中央立ち上がり部１８に接続するための移行面１６（１６ａ、１６ｂ）が存在する。移行面１６は、第２立ち上がり部１５を切屑の衝突に耐えうる強度を維持する役割も持つ。
【００１９】
ここで、高さｈ１および高さｈ２を正面切刃４からの高さと定義すると、高さｈ１に対する高さｈ１と高さｈ２との差△ｈの比（△ｈ／ｈ１）は、０．４〜１．８である。また、漸次高くなるとは、連続的または段階的に高くなることを意味し、高さが変化しない部分が存在する場合も含む。
【００２０】
上記構成によれば、正面Ｘ側から侵入する切屑は、２つのブレーカ島部１０（１０ａ、１０ｂ）によって、チップ本体２の長手方向Ｌと垂直な方向である幅方向が凹曲面状となるように曲げられる。２つのブレーカ島部１０（１０ａ、１０ｂ）は背面Ｙ側から正面Ｘ側に向かってすくい面３の側端に近づくように設けられているので、正面Ｘ側から入ってくる切屑は背面Ｙ側に向かって進行すると、２つのブレーカ島部１０（１０ａ、１０ｂ）間に挟まれた状態となり、切屑は２つのブレーカ島部１０（１０ａ、１０ｂ）間の外側には飛び出しにくく、すくい面３をチップ本体２の長手方向Ｌに沿って進む。
【００２１】
また、ブレーカ島部１０（１０ａ、１０ｂ）は、第１立ち上がり部１３と、降下部１４と、第２立ち上がり部１５とを有する。この構成によって、送りが小さい切削条件のときには第１立ち上がり部１３のみで切屑をカールさせることができる。一方、送りが大きい切削条件のときでも切屑は第１立ち上がり部１３に当たって減速され、その後、減速された切屑が第２立ち上がり部１５に当たるので、カールされずに乗り上げた切屑も第２立ち上がり部１５に当てて安定してカールさせることができる。その結果、低送りから高送りにわたる広い切削条件において、良好な切屑処理ができる。
【００２２】
つまり、第１立ち上がり部１３がなくて第２立ち上がり部１５のみが存在する場合には、第２立ち上がり部１５に当たる切屑の勢いがあり過ぎて、切屑が第２立ち上がり部１５を乗り越えてしまう場合があり、切屑処理が不安定となる。また、降下部１４がなくて第１立ち上がり部１３から第２立ち上がり部１５へと漸次高さが高くなる場合には、送りが大きいとき、切屑が第１立ち上がり部１３に当たることなく第１立ち上がり部１３を飛び越えてしまい、第２立ち上がり部１５に直接切屑が当たることになり、切屑の進行速度が速くて第２立ち上がり部１５を乗り越えてしまう場合がある。さらに、第２立ち上がり部１５の頂部の高さが第１立ち上がり部１３の頂部の高さ以下であると、送りが大きいとき、第１立ち上がり部１３を乗り越えた切屑が第２立ち上がり部１５に当たらずに第２立ち上がり部１５を通過してしまう場合がある。
【００２３】
ここで、図２Ａ，図２Ｂ，図２Ｃによれば、２つのブレーカ島部１０（１０ａ、１０ｂ）の間には、正面Ｘ側から、ブレーカ溝部１７と、中央立ち上がり部１８とが設けられており、中央立ち上がり部１８の両側端が、２つのブレーカ島部１０（１０ａ、１０ｂ）とそれぞれ連結されてブレーカ凸部６を構成している。ブレーカ溝部１７によって、正面Ｘ側から侵入する切屑は、幅方向がより凹曲面状に曲げられる。切屑の中央の底面部分が中央立ち上がり部１８に接触し、切屑は湾曲してぜんまい状にカールさせる役割を有する。
【００２４】
また、図２Ｃの正面視によれば、２つのブレーカ島部１０（１０ａ、１０ｂ）の第２立ち上がり部１５（１５ａ、１５ｂ）の頂部のほうが、中央立ち上がり部１８よりも高い高さで設けられ、中央立ち上がり部１８は、第２立ち上がり部１５（１５ａ、１５ｂ）および移行面１６（１６ａ、１６ｂ）の端部に位置する連結部２０（２０ａ、２０ｂ）と連結されている。この構成によって、幅方向が凹曲面状となるように曲げられた切屑がブレーカ凸部６に接触する接触点が増す可能性が高くなり、切屑の進行速度を減速させることができるとともに、切屑を長手方向Ｌに沿って進行させることができ、切屑をより安定してカールさせることができる。
【００２５】
さらに、図２Ｂの側面視によれば、第１立ち上がり部１３の立ち上がり角θ１Ｌが第２立ち上がり部１５の立ち上がり角θ２Ｌよりも大きい。これによって、送りが大きく切屑の発生量が多い場合でも、第１立ち上がり部１３を乗り越えた切屑が第２立ち上がり部１５で詰まることなく、切屑を後方に流すことができる。角度θ１Ｌの望ましい範囲は、１０°〜３０°であり、より好ましくは、１５°〜２４°である。角度θ２Ｌの望ましい範囲は、５°〜２５°であり、より好ましくは１３°〜１８°である。
【００２６】
ここで、図２Ｃの正面視によれば、第１立ち上がり部１３および第２立ち上がり部１５は、上側に突出した凸曲面である。また、第１立ち上がり部１３の背後に存在する降下部１４も、図示されていないが上側に突出した凸曲面である。この形状の第１立ち上がり部１３、降下部１４および第２立ち上がり部１５は、切屑をブレーカ島部１０の表面にしっかり接触させた状態で通過させるので、切屑を確実に曲げることができる。
【００２７】
また、図２Ａの平面視によれば、第１立ち上がり部１３の凸曲面の頂部をつないだ線を第１稜線Ｒ１とし、第２立ち上がり部１５の凸曲面の頂部をつないだ線を第２稜線Ｒ２としたとき、第１稜線Ｒ１および第２稜線Ｒ２は、チップ本体２の長手方向Ｌに対して、いずれも正面側に向かうにつれてすくい面３の側端に近づくように、つまり一対の横切刃５のうちの近くに存在する横切刃５に近づくように存在している。この構成によって、切屑は幅方向がより凹曲面状となるように曲げられて、切屑がブレーカ凸部６に触れずに上方を通過することを抑制して、切屑がブレーカ凸部６の表面に接触した状態で通過しやすくなる。その結果、切屑の進行速度を減速することができるとともに、切屑を長手方向Ｌに沿って進行させることができる。その結果、切屑をより安定してカールさせることができる。  さらに、図２Ａの平面視によれば、第２稜線Ｒ２のチップ本体２の長手方向Ｌに対するずれ角θ２Ｓが、第１稜線Ｒ１のチップ本体２の長手方向Ｌに対するずれ角θ１Ｓよりも大きい。この構成によって、切屑は幅方向がより凹曲面状となるように曲げられて、切屑がブレーカ凸部６の表面に接触した状態で通過しやすい。その結果、切屑の進行速度を減速させつつ長手方向Ｌに沿って進行させることができ、切屑をより安定してカールさせることができる。角度θ１Ｓの望ましい範囲は、１°〜１２°であり、より好ましくは、４°〜８°である。角度θ２Ｓの望ましい範囲は、８°〜３０°であり、より好ましくは、１２°〜２５°である。
【００２８】
さらに、図２Ａの平面視によれば、第１立ち上がり部１３の最大幅ｗ１よりも第２立ち上がり部１５の最大幅ｗ２が大きい。この構成によって、第１立ち上がり部１３を乗り越えた切屑が多少左右にずれて流れたとしても、第２立ち上がり部１５に切屑を当ててカールさせることができる。ここで、ブレーカ島部１０は背面Ｙ側から正面Ｘ側に向かってすくい面３の側端に近づく配置からなるので、図２Ｃの正面視に示されるように、第２立ち上がり部１５は第１立ち上がり部１３よりもブレーカ溝１７側にずれた配置となる。また、第１立ち上がり部１３はブレーカ溝１７側に傾斜しているので、一旦第１立ち上がり部１３に当たった切屑は、第１立ち上がり部１３でカールされずに後方に流れても、長手方向Ｌに沿って延びる。そして、この第１立ち上がり部１３を乗り越えたブレーカ溝１７側を通った切屑は、ブレーカ溝１７側にも存在する第２立ち上がり部１５に当たって、第２立ち上がり部１５でカールされる。
【００２９】
さらに、図２Ａ，図２Ｂ，図２Ｃによれば、第１立ち上がり部１３と、第１立ち上がり部１３よりも正面Ｘ側の正面切刃４との間に、予備立ち上がり部２２が設けられている。予備立ち上がり部２２の立ち上がり角θ0Ｌは第１立ち上がり部１３の立ち上がり角θ1Ｌよりも小さい。予備立ち上がり部２２は切屑を第１立ち上がり部１３にスムーズに導く働きをする。角度θ０Ｌの望ましい範囲は、５°〜１５°であり、より好ましくは、７°〜１０°である。なお、角度θ０Ｌは予備立ち上がり部２２のうちの第１立ち上がり部１３に接する面の角度を指す。予備立ち上がり部２２の先端側は、角度θ０Ｌよりも大きな角度となっていてもよい。また、予備立ち上がり部２２は必ずしも必要ではなく、予備立ち上がり部２２が存在しない形状であってもよい。
【００３０】
また、図２Ａの平面視図によれば、２つのブレーカ島部１０（１０ａ、１０ｂ）は、正面切刃４の中央を通って長手方向Ｌに平行な直線である中央線Ｌに対して線対称である。すなわち、背面Ｙ側のブレーカ凸部も正面Ｘ側のブレーカ凸部と同様の構成となっている。この構成であれば、インサート１の正面Ｘ側および背面Ｙ側のいずれの切削部を用いた場合でも、切屑をより確実にチップ本体２の上面で処理することができる。また、本発明はこの構成に限定されるものではなく、勝手つきの切削インサートの場合には、中央線Ｏに対して線対称でない構成となる。
【００３１】
また、図１、図２Ａ，図２Ｂ，図２Ｃの切削インサート１は、例えば、図３に示すようなホルダ３２に装着されて、切削工具３０として使用される。図３に示す本実施形態の溝入れ加工用ホルダ（以下、ホルダと略す。）３２に切削インサート１を装着したスローアウェイ式切削工具（以下、切削工具と略す。）３０は、特に溝入れ加工や突切り加工に適したものである。
【００３２】
切削工具３０は、略棒状のシャンク部３３と、シャンク部３３の一端側に位置してシャンク部３３と一体的に形成されたヘッド部３４とを備えている。ヘッド部３４は、一方の側方ａ側にインサート取付空間３５と、インサート取付空間３５を上下から挟む上顎３７と下顎３８と、インサート取付空間３５から後方に連結されたスリット３９とを具備する。また、ヘッド部３４は、スリット３９により分割された上顎連結部４１と下顎連結部４２とを具備しており、上顎３７と上顎連結部４１とは連結され、下顎３８と下顎連結部４２とは連結されている。
【００３３】
さらに、上顎連結部４１にはねじ４３を挿入するための貫通穴４５を有しており、下顎連結部４２にはねじ４３が螺合されるねじ穴（図示せず）を有しており、上顎３７の下面には上クランプ面４８が、下顎３８の上面には下クランプ面４９がそれぞれ存在する。そして、ねじ４３を上顎連結部４１の貫通穴４５から差し込んで下顎連結部４２のねじ穴に螺合することによって、上顎３７の上クランプ面４８と下顎３８の下クランプ面４９とがインサート取付空間３５に装着される切削インサート１を締め付ける。なお、切削インサート１はインサート取付空間３５の先端側から外側にかけて正面切刃４および横切刃５（５ａ）が位置するように装着される。
【００３４】
なお、図３によれば、上顎３７の切削インサート１と当接される上クランプ面４８、および下顎３８の切削インサート１と当接される下クランプ面４９には、先端から後方に向かって平行に凹溝または凸部（図３ではインサート取付空間３５側に突出する凸部）を有しており、切削インサート１のこれに当接する位置には凸部または凹溝（図１、３では上クランプ面４８および下クランプ面４９の凸部に嵌め合わされるＶ字状の凹溝２５および凹溝２６）を有している。これによって、切削インサート１の位置ずれを抑制できるとともに切削インサート１の拘束力を高めることができる。また、図３では、被削材と接触することを避ける逃がしをつけるために、下顎３８の切削インサート１の側方に位置する領域は切り欠かれて下顎隣接部４７とされている。
【００３５】
以上、本発明の実施形態を例示したが、本発明は前記実施形態に限定されるものではなく、発明の目的を逸脱しない限り任意のものとすることができることは云うまでもない。
【符号の説明】
【００３６】
１    切削インサート
２    チップ本体
３    すくい面
４    正面切刃
５（５ａ、５ｂ）  横切刃
６    ブレーカ凸部
８    前逃げ面
９（９ａ）  横逃げ面
１０（１０ａ、１０ｂ）  ブレーカ島部
１３（１３ａ、１３ｂ）  第１立ち上がり部
１４（１４ａ、１４ｂ）  降下部
１５（１５ａ、１５ｂ）  第２立ち上がり部
１６（１６ａ、１６ｂ）  移行面
１７  ブレーカ溝部
１８  中央立ち上がり部
２０（２０ａ、２０ｂ）  連結部
２２（２２ａ、２２ｂ）  予備立ち上がり部
２５、２６  凹溝
２８  つなぎ部
３０  切削工具
３２  ホルダ
３３  シャンク部
３４  ヘッド部
３５  インサート取付空間
３７  上顎
３８  下顎
３９  スリット
４１  上顎連結部
４２  下顎連結部
４３  ねじ
４５  貫通穴
４７  下顎隣接部
４８  上クランプ面
４９  下クランプ面
Ｘ    正面
Ｙ    背面
ａ    一方の側面
ｂ    他方の側面
Ｒ１  第１稜線
Ｒ２  第２稜線
θ１Ｌ  第１立ち上がり部の立ち上がり角
θ２Ｌ  第２立ち上がり部の立ち上がり角
θ１Ｓ  第１稜線のチップ本体の長手方向に対するずれ角
θ２Ｓ  第２稜線のチップ本体の長手方向に対するずれ角
ｗ１    第１立ち上がり部の最大幅
ｗ２    第２立ち上がり部の最大幅
【図１】
2014051086.tif 000003
【図２Ａ】
2014051086.tif 000004
【図２Ｂ】
2014051086.tif 000005
【図２Ｃ】
2014051086.tif 000006
【図３】
2014051086.tif 000007
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
角柱状のチップ本体と、該チップ本体の長手方向の端部上面に設けられたすくい面と、該すくい面と前記チップ本体の端面との稜線に設けられた正面切刃と、前記すくい面と前記チップ本体の側面との稜線に設けられており、前記正面切刃とそれぞれつながる横切刃と、前記すくい面上に設けられたブレーカ凸部と、を備え、
前記ブレーカ凸部は、前記正面切刃側に向かうにつれて前記横切刃側に延びる２つのブレーカ島部を有し、該ブレーカ島部は、前記正面切刃側から第１立ち上がり部と、該第１立ち上がり部の頂部から漸次低くなる降下部と、該降下部から前記第１立ち上がり部の頂部よりも高い高さまで漸次高くなる第２立ち上がり部とを有し、
前記２つのブレーカ島部の間には、前記正面切刃側から、ブレーカ溝部と中央立ち上がり部とが設けられており、前記中央立ち上がり部の両側端が、前記２つのブレーカ島部とそれぞれ連結されており、
前記２つのブレーカ島部の前記第２立ち上がり面の頂部のほうが、前記中央立ち上がり部の頂部よりも高い切削インサート。
【請求項２】
角柱状のチップ本体と、該チップ本体の長手方向の端部上面に設けられたすくい面と、該すくい面と前記チップ本体の端面との稜線に設けられた正面切刃と、前記すくい面と前記チップ本体の側面との稜線に設けられており、前記正面切刃とそれぞれつながる横切刃と、前記すくい面上に設けられたブレーカ凸部と、を備え、
前記ブレーカ凸部は、前記正面切刃側に向かうにつれて前記横切刃側に延びる２つのブレーカ島部を有し、該ブレーカ島部は、前記正面切刃側から第１立ち上がり部と、該第１立ち上がり部の頂部から漸次低くなる降下部と、該降下部から前記第１立ち上がり部の頂部よりも高い高さまで漸次高くなる第２立ち上がり部とを有し、
前記第１立ち上がり部よりも前記正面切刃側に予備立ち上がり部が設けられ、該予備立ち上がり部の立ち上がり角は前記第１立ち上がり部の立ち上がり角よりも小さい切削インサート。
【請求項３】
前記２つのブレーカ島部の間には、前記正面切刃側から、ブレーカ溝部と中央立ち上がり部とが設けられており、前記中央立ち上がり部の両側端が、前記２つのブレーカ島部とそれぞれ連結されている請求項２記載の切削インサート。
【請求項４】
前記２つのブレーカ島部の前記第２立ち上がり面の頂部のほうが、前記中央立ち上がり部の頂部よりも高い請求項３記載の切削インサート。
【請求項５】
側面視で、前記第１立ち上がり部の立ち上がり角が、前記第２立ち上がり部の立ち上がり角よりも大きい請求項１乃至４のいずれか記載の切削インサート。
【請求項６】
前記第１立ち上がり部、前記降下部および前記第２立ち上がり部は、上側に突出した凸曲面である請求項１乃至４のいずれか記載の切削インサート。
【請求項７】
平面視で、前記第１立ち上がり部の凸曲面の頂部をつないだ線を第１稜線とし、前記第２立ち上がり部の凸曲面の頂部をつないだ線を第２稜線としたとき、前記第１稜線および前記第２稜線は、前記チップ本体の長手方向に対して、いずれも前記端面側に向かうにつれて前記すくい面の側端に近づくように設けられている請求項６記載の切削インサート。
【請求項８】
前記第２稜線の前記チップ本体の長手方向に対するずれ角が、前記第１稜線の前記チップ本体の長手方向に対するずれ角よりも大きい請求項７記載の切削インサート。
【請求項９】
平面視で、前記第１立ち上がり部の最大幅よりも前記第２立ち上がり部の最大幅が大きい請求項１乃至８のいずれか記載の切削インサート。
【請求項１０】
前記２つのブレーカ島部は、前記正面切刃の中央を通る前記チップ本体の長手方向に平行な中央線に対して線対称である請求項１乃至９のいずれか記載の切削インサート。
【請求項１１】
請求項１乃至１０のいずれか記載の切削インサートと、インサート取付空間を有するホルダとを有し、前記切削インサートの前記正面切刃が前記ホルダの外部に位置するように前記切削インサートが前記ホルダのインサート取付空間に装着されている切削工具。
【手続補正２】
【補正対象書類名】明細書
【補正対象項目名】０００６
【補正方法】変更
【補正の内容】
【０００６】
本発明の一態様に基づく切削インサートは、角柱状のチップ本体と、該チップ本体の長手方向の端部上面に設けられたすくい面と、該すくい面と前記チップ本体の端面との稜線に設けられた正面切刃と、前記すくい面と前記チップ本体の側面との稜線に設けられており、前記正面切刃の両端部につながる横切刃と、前記すくい面上に設けられたブレーカ凸部と、を備え、
前記ブレーカ凸部は、前記正面切刃側に向かうにつれて前記横切刃側に延びる２つのブレーカ島部を有し、該ブレーカ島部は、前記正面切刃側から第１立ち上がり部と、該第１立ち上がり部の頂部から漸次低くなる降下部と、該降下部から前記第１立ち上がり部の頂部よりも高い高さまで漸次高くなる第２立ち上がり部とをそれぞれ有し、
前記２つのブレーカ島部の間には、前記正面切刃側から、ブレーカ溝部と中央立ち上がり部とが設けられており、前記中央立ち上がり部の両側端が、前記２つのブレーカ島部とそれぞれ連結されており、
前記２つのブレーカ島部の前記第２立ち上がり面の頂部のほうが、前記中央立ち上がり部の頂部よりも高くなっている。
【国際調査報告】
2014051086.tif 000008
2014051086.tif 000009
2014051086.tif 000010
2014051086.tif 000011